(57)【特許請求の範囲】
【請求項１】
Ｕ型に形成されたパイプ状の外導体と、外導体の内部で同軸状に配置されるＵ型の内導体と、外導体と内導体との間に介在される絶縁板とを具える同軸管Ｕリンクエルボであって、
前記外導体は、外側水平部と、その両側につながる外側垂直部とを具え、
前記内導体は、内側水平部と、その両側につながる内側垂直部とを具え、
前記外導体の外側水平部は継ぎ目なく連続されており、
前記外側水平部と内側水平部との間に絶縁板が介在され、この絶縁板は内導体を外周側から挟みこむ半円状で、両端部が切り欠かれた形状であることを特徴とする同軸管Ｕリンクエルボ。
【請求項２】
Ｕ型に形成されたパイプ状の外導体における一端の開口部からＵ型の内導体を挿入する過程と、
前記内導体を外導体内で他端側に移行する過程と、
前記外導体の他端側開口部より、半円状で、両端部が切り欠かれた形状の第1絶縁板を挿入して内導体の外周にはめ込む過程と、
前記内導体を外導体内で一端側に移行する過程と、
前記外導体の一端側開口部より、半円状で、両端部が切り欠かれた形状の第2絶縁板を挿入して内導体の外周にはめ込む過程とを具えることを特徴とする同軸管Ｕリンクエルボの組立方法。
【発明の詳細な説明】
【０００１】
【発明の属する技術分野】
本発明は、アンテナ切替盤などに用いられる同軸管Ｕリンクエルボとその製造方法に関するものである。特に、機械的強度にすぐれ、電気的にも安定した性能を持ち経済的な同軸管Ｕリンクエルボと、組立作業性を改善した同軸管Ｕリンクエルボの組立方法に関するものである。
【０００２】
【従来の技術】
従来より、アンテナ切替盤に同軸管Ｕリンクエルボが用いられている。その一例として、実開平2-64201号公報に記載の同軸管Ｕリンクエルボがある。これは、Ｕ型の内導体の両端部から一対のＬ型パイプをはめ込んで外導体を形成し、両Ｌ型パイプの接合個所をすり割りの入ったパイプ状のストレートカップリングで覆って、同カップリングの上からホースバンドで締め付けた構成である。外導体と内導体との間には複数の絶縁板が介在されている。この絶縁板は、内導体を外周側から挟みこむ一対の半円板である。このような同軸管Ｕリンクエルボはアンテナ切替盤の複数の端子に差し込まれており、抜き取って差し替えることで回路構成を変え、アンテナの切り替えを行っている。
【０００３】
【発明が解決しようとする課題】
しかし、上記の同軸管Ｕリンクエルボでは、外導体の接触点が多くなるため、機械的強度および電気的信頼性が劣ると言う問題があった。
【０００４】
従来の外導体は、一対のＬ型パイプをストレートカップリングで接合しており、この接合個所が特に曲げに対する強度上の弱点となっている。アンテナ切替盤では同軸管Ｕリンクエルボを抜き差しして用いるため、その際の外力に対してより一層の強度を具えることが望まれている。
【０００５】
また、Ｌ型パイプ同士の端面は、単に突き合わされているだけであるため、電気的接合の点でも安定性が低く、接触不良の原因にもなっていた。特に、両Ｌ型パイプ同士の接触が悪いと、ロスの増大にもつながる。
【０００６】
従って、本発明の主目的は、機械的強度と電気的信頼性に優れる同軸管Ｕリンクエルボを提供することにある。
【０００７】
また、本発明の他の目的は、機械的強度と電気的信頼性に優れる同軸管Ｕリンクエルボを容易に得ることができる同軸管Ｕリンクエルボの組立方法を提供することにある。
【０００８】
【課題を解決するための手段】
本発明は、外導体の接合個所を減少させることで上記の目的を達成する。
【０００９】
すなわち、本発明同軸管Ｕリンクエルボは、Ｕ型に形成されたパイプ状の外導体と、外導体の内部で同軸状に配置されるＵ型の内導体と、外導体と内導体との間に介在される絶縁板とを具える同軸管Ｕリンクエルボである。この外導体は、外側水平部と、その両側につながる外側垂直部とを具える。内導体は、内側水平部と、その両側につながる内側垂直部とを具える。そして、前記外導体の外側水平部は継ぎ目なく連続されていることを特徴とする。
【００１０】
従来の同軸管Ｕリンクエルボでは、主に外導体内に内導体を容易に収納するために外導体を２つのＬ型パイプに分割し、これらを組み合わせていた。本発明では外側水平部に継ぎ目のないパイプを用いることで接合個所をなくし、機械的強度を高めると共に接触不良の原因をなくしている。
【００１１】
ここで、外側・内側水平部、外側・内側垂直部は、同軸管Ｕリンクエルボの一方の方向に伸延する部材を水平部としたときに、これとほぼ直交する方向に伸延する部材を垂直部としている。従って、この水平部や垂直部は、実際の使用状態において水平方向または垂直方向に向いていることを意味するわけではない。
【００１２】
外側水平部と内側水平部との間に介在される絶縁板は、内導体を外周側から挟みこむ半円状で、両端部が切り欠かれた形状であることが好ましい。このような形状の絶縁板を用いることで、予め外導体と内導体をＵ型に形成しておいてから外導体内に内導体を収納し、その後に外導体の開口部から絶縁板を導入して内導体と外導体との間に装着することが容易に実現できる。
【００１３】
また、本発明同軸管Ｕリンクエルボの組立方法は、以下の過程を具えることを特徴とする。
▲１▼Ｕ型に形成されたパイプ状の外導体における一端の開口部からＵ型の内導体を挿入する過程。
▲２▼前記内導体を外導体内で他端側に移行する過程。
▲３▼前記外導体の他端側開口部より第1絶縁板を挿入して内導体の外周にはめ込む過程。
▲４▼前記内導体を外導体内で一端側に移行する過程。
▲５▼前記外導体の一端側開口部より第2絶縁板を挿入して内導体の外周にはめ込む過程。
【００１４】
この組立方法により、予め外導体と内導体をＵ型に形成しておいてから外導体内に内導体を収納できる。そして、その後に外導体の開口部から絶縁板を導入して内導体と外導体との間に装着することが容易に可能である。
【００１５】
【発明の実施の形態】
以下、本発明の実施の形態を説明する。
図1は本発明同軸管Ｕリンクエルボの一例の縦断面図で、図2は絶縁板の平面図である。
（全体構成）
この同軸管Ｕリンクエルボは、Ｕ型の外導体10と、その内部に同軸状に収納されるＵ型の内導体20と、外導体10と内導体20との間に介在される絶縁板30とを具える。
【００１６】
（外導体）
外導体10は、外側水平部11の両側に外側垂直部12が接合されたＵ型の金属管である。本例では銅管で外導体10を構成した。外側水平部11は、後述する内導体20を挿入し易いように短く形成しておく。外側水平部11の両端部および外側垂直部の一端は45°の傾斜切断端を持つ。外側水平部11と外側垂直部12との接合は、この傾斜切断端同士を突き合わせて銀ロウ付け又は溶接により行っている。外導体10の接合個所は、外側水平部11と外側垂直部12との間だけであり、他に接合個所はない。
【００１７】
外導体の各寸法は次の通りである。
外径：79.4mm
内径：76.9mm
外側水平部の長さ：249.4mm
外側垂直部中心軸間の距離：170mm
外側水平部の中心軸から外側垂直部開口までの距離：100mm
【００１８】
（内導体）
内導体20は、内側水平部21の両側に内側垂直部22が接合されたＵ型の金属棒である。本例では銅棒材で内導体20を構成した。
【００１９】
内側水平部21は、その両端部が先端角90°の先鋭端に形成された棒状体である。その外周には、後述する絶縁板の取付溝23が一対形成されている。この溝23の中心部には、絶縁板30の回り止めとなるピン24が貫通されている。内側垂直部22は、一端がほぼ平面状で、他端が先端角90°の先鋭端に形成されたブロック体である。ほぼ平面状の一端面には、後述する端部パイプ40との接合に用いるボルト孔25と、端部パイプ40の回り止めとなるピン50の挿入孔26が形成されている。
【００２０】
内側水平部21と内側垂直部22との接合は、前記先鋭端同士を突き合わせて銀ロウ付け又は溶接により行っている。内側水平部21と内側垂直部22との接合により、接合個所は、45°に角落としされた形状に構成される。この内導体20の角落とし形状を調整することで、同軸管Ｕリンクエルボの電気特性を調整することができる。
【００２１】
内側水平部21と内側垂直部22を組み合わせた内導体20は、外導体10の開口部から収納できるサイズのＵ型にできるよう、内側水平部21と内側垂直部22の長さを決定する。本例では内導体20を中実としたが、中空のパイプとしても良い。
【００２２】
前記内側垂直部22の一端面には端部パイプ40が接続される。この端部パイプ40は一端側が中実で他端側が中空の棒状体である。中実部の外周には絶縁板60の取付溝41が形成されている。内導体20を外導体10中に収納した後、端部パイプ40は中実部を軸方向に貫通するボルト42で内側垂直部22に固定される。内側垂直部22に端部パイプ40を接続することで、端部パイプ40の開口端と外導体10の開口端がほぼ同一面に位置することになる。
【００２３】
内導体の各寸法は次の通りである。
外径：33.4mm
内側垂直部中心軸間の距離：170mm
内側垂直部中心軸から取付溝までの距離：40mm
内側水平部の中心から内側垂直部開口までの距離：33mm
【００２４】
（絶縁板）
絶縁板30は外導体10と内導体20とを電気的に絶縁し、かつ内導体20を外導体10と同軸上に保持するためのスペーサである。図2に示すように、絶縁板30は一対のほぼ半円板から構成されている。この半円板は、その両端を切り欠いた形状で、底辺および両側辺が直線で、上辺が円弧曲線で構成される。
【００２５】
一対の絶縁板のうち、一方の上部絶縁板31の底辺には連結棒33が突設され、他方の下部絶縁板32の底辺には連結棒33の嵌合孔34が形成されている。嵌合孔34の内径と連結棒33の外径は中間嵌めとなる程度に設定することが好ましい。両絶縁板31、32で内導体20を挟み込み、連結棒33を嵌合孔34に嵌め込んで絶縁板30の固定を行う。
【００２６】
また、絶縁板30には調整孔35が形成されている。この調整孔35の大きさを変えることで、同軸管Ｕリンクエルボの電気特性を調整することができる。
【００２７】
さらに、底辺の中心部には、内導体20の取付溝23にはめ込まれる半円切欠36が形成されている。半円切欠36の端面には、内導体20の取付溝23に設けたピン24がはめ込まれる円孔37が形成されている。
【００２８】
本例では、絶縁板30および連結棒33をポリテトラフルオルエチレンで構成した。
絶縁板の各寸法は次の通りである。
底辺の長さ：58mm
円弧曲線を構成する半径：76.8mm
厚さ：4.8mm
連結棒の間隔：45mm
【００２９】
（組立方法）
上記同軸管Ｕリンクエルボの組立方法を図3に基づいて説明する。図3は本発明組立方法の説明図である。
【００３０】
(1)まず、外側水平部11に外側垂直部12を銀ロウ付け又は溶接して外導体10を組み立てる。
【００３１】
(2)次に、内側水平部21に内側垂直部22を銀ロウ付け又は溶接して内導体20を組み立てる。
【００３２】
(3)この内導体20の取付溝23の上半周に絶縁板を装着する。その際、内導体20のピン24に絶縁板の円孔37をはめ込む。ここでは、連結棒33の突設された上部絶縁板31を装着した。この時点では、内導体20における取付溝23の下半周には下部絶縁板32が装着されていない。
【００３３】
(4)この状態の内導体20を外導体10の一端側（図3では右側）開口部より挿入する。内導体20は、図3に示すように、外導体10の内面につかえることなく収納される。
【００３４】
(5)収納した内導体20は、一旦、外導体10の他端側（図3の左側）に可能な限り寄せる。その際、外導体10の左側開口部から内導体20の取付溝23が見えるようになる。
【００３５】
(6)外導体10の左側開口部から嵌合孔34を持つ下部絶縁板32（第1絶縁板）を挿入する。図3より明らかなように、取付溝23が位置する個所は外導体10の開口部の中心よりもずれた位置に見える。絶縁板が完全な半円板であれば外導体10の開口部の中心位置からしか挿入することができず、取付溝23の位置に絶縁板を移行することができない。本発明では、半円板の両端部を切り欠いた形状の絶縁板30を用いることで、外導体10の開口部の中心よりずれた位置からでも絶縁板30を挿入して取付溝23に装着することができる。絶縁板両端部の切欠は、図3に示すように、内導体を外導体の水平方向端部側に寄せた際に絶縁板30の位置する個所において、絶縁板30の幅が外導体10の開口部に内接する幅となるように設ける。
【００３６】
(7)外導体10の左側開口部から挿入した下部絶縁板32は、内導体20における左側の取付溝23の下半周に装着され、嵌合孔34に連結棒33が差し込まれる。
【００３７】
(8)続いて、内導体20を右側に可能な限り寄せる。これにより、内導体20の右側の取付溝23が外導体10の右側開口部より見えることになる。
【００３８】
(9)そして、前記と同様に外導体10の右側開口部から下部絶縁板32（第2絶縁板）を挿入し、内導体20における右側の取付溝の下半周に装着して、嵌合孔34に連結棒33を差し込む。この時点で内導体20の左右に設けた各取付溝23の全周に絶縁板31、32が装着されたことになる。
【００３９】
(10)絶縁板31、32を装着し終えた内導体20を外側水平部11の中間に移動する。これにより、左右の絶縁板30は外導体10と内導体20の間に介在されて両導体を同軸に保持する。
【００４０】
(11)その後、端部パイプ40の外周に絶縁板60を装着する。
【００４１】
(12)外導体10の開口部から端部パイプ40を挿入してボルト42で内側垂直部22と連結する。この端部パイプ40の固定は、左右の内側垂直部22の両方について行う。
【００４２】
【発明の効果】
以上説明したように、本発明同軸管Ｕリンクエルボによれば、外側水平部に継ぎ目がなく、機械的強度不足になったり、電気的に接触不良になることを抑制することができる。
【００４３】
また、外導体をストレートカップリングを介したＬ型パイプの連結で構成する必要がなく、部品点数を減らして経済性を向上させることができる。
【００４４】
絶縁板は内導体を外周側から挟みこむ半円状で、両端部が切り欠かれた形状とすることで、予め外導体と内導体をＵ型に形成しておいてから外導体内に内導体を収納し、その後に外導体の開口部から絶縁板を導入することができる。
【００４５】
さらに、本発明同軸管Ｕリンクエルボの組立方法によれば、単に内導体を外導体の開口部から収納するだけの簡単な工程により同軸管Ｕリンクエルボを組み立てることができる。
【図面の簡単な説明】
【図１】本発明同軸管Ｕリンクエルボの縦断面図である。
【図２】本発明同軸管Ｕリンクエルボに用いる絶縁板の平面図である。
【図３】本発明同軸管Ｕリンクエルボの組立説明図である。
【符号の説明】
10  外導体
11  外側水平部
12  外側垂直部
20  内導体
21  内側水平部
22  内側垂直部
23  取付溝
24  ピン
25  ボルト孔
26  挿入孔
30  絶縁板
31  上部絶縁板
32  下部絶縁板
33  連結棒
34  嵌合孔
35  調整孔
36  半円切欠
37  円孔
40  端部パイプ
41  取付溝
42  ボルト
50  ピン
60  絶縁板
【図１】
0003832316.tif 000002
【図２】
0003832316.tif 000003
【図３】
0003832316.tif 000004